(57)【要約】【課題】  環境が異なっても画像の色を容易に確認する。【解決手段】  端末装置３は、照明１２６が設けられたデザイナー側の環境条件とともに、表示装置１２４に表示された画像情報を取得し、サーバに転送する。端末装置５は、照明１０６が設けられたクライアント側の環境条件とともに、表示装置１０４に表示された画像情報を取得し、サーバに転送する。サーバは、端末装置３，５それぞれから受入れたデザイナー側及びクライアント側の情報（環境条件及び画像情報）から、デザイナー側の環境内に位置する表示装置１２４に表示された色をクライアント側の環境内に位置する端末装置５によって表示するように、色変換プロファイルを作成する。端末装置５は、色変換プロファイルによって補正された画像データにより、デザイナー側の環境内に位置する表示装置１２４に表示された色をクライアント側の環境内で表示する。【選択図】          図５
2006091281.tif 000002
【特許請求の範囲】
【請求項１】
第１の環境及び第２の環境それぞれにおける画像の色情報を取得し、取得した画像の色情報の相違を取得し、取得した画像の色情報の相違に基づいて、第１の環境における画像の色を第２の環境において出力するように色を調整することを特徴とする電子色見本出力方法。
【請求項２】
第１の環境及び第２の環境それぞれにおける画像の色情報を取得する色情報取得手段と、この色情報取得手段が取得した画像の色情報の相違を取得する相違取得手段と、この相違取得手段が取得した画像の色情報の相違に基づいて、第１の環境における画像の色を第２の環境において出力するように色を調整する色調整手段とを有することを特徴とする電子色見本出力装置。
【請求項３】
ネットワークを介して情報を送受する通信手段をさらに有し、前記相違取得手段は、前記通信手段を介して画像の色情報の相違を取得することを特徴とする請求項２記載の電子色見本出力装置。
【請求項４】
前記色情報取得手段が取得した画像の色情報の相違算出する相違算出手段をさらに有し、前記相違取得手段は、前記相違算出手段から画像の色情報の相違を取得することを特徴とする請求項２記載の電子色見本出力装置。
【請求項５】
前記色情報取得手段が取得した画像の色情報の相違は、色変換プロファイルによって示されていることを特徴とする請求項２乃至４いずれか記載の電子色見本出力装置。
【請求項６】
所定の色に複数色が隣接して出力されるように配色する配色手段をさらに有することを特徴とする請求項２乃至５いずれか記載の電子色見本出力装置。
【請求項７】
前記配色手段は、所定の色が複数色の略中央に出力されるように配色することを特徴とする請求項６記載の電子色見本出力装置。
【請求項８】
第１の環境及び第２の環境は、屋内又は屋外いずれかであることを特徴とする請求項２乃至７いずれか記載の電子色見本出力装置。
【発明の詳細な説明】
【技術分野】
【０００１】
本発明は、画像の色を確認するために色見本を出力する電子色見本出力方法及び電子色見本出力装置に関するものである。
【背景技術】
【０００２】
ネットワークを介して接続された複数のＰＣ（Personal Computer）を用いることにより、共通の画像データをそれぞれ表示させることが容易になっている。ここで、ＰＣにより表示される画像は、環境光及びディスプレイの特性によって異なってしまうという問題がある。そこで、異なる環境であっても正確な色再現ができるように、それぞれのディスプレイに表示された画像をカメラによってそれぞれ撮影し、ディスプレイプロファイルを作成（修正）することは公知である（特許文献１参照）。
【０００３】
【特許文献１】特開２００１−６００８２号公報
【発明の開示】
【発明が解決しようとする課題】
【０００４】
しかしながら、ＰＣに表示された画像の色を、他のＰＣが配置されている他の環境で確認する場合、それぞれのＰＣが正確な色再現をできるようにしなければならないという問題があった。
【０００５】
そこで、本発明は、環境が異なっても画像の色を容易に確認することができる電子色見本出力方法及び電子色見本出力装置を提供することを目的とする。
【課題を解決するための手段】
【０００６】
上記目的を達成するため、本発明の第１の特徴とするところは、第１の環境及び第２の環境それぞれにおける画像の色情報を取得し、取得した画像の色情報の相違を取得し、取得した画像の色情報の相違に基づいて、第１の環境における画像の色を第２の環境において出力するように色を調整する電子色見本出力方法にある。したがって、第１の環境と第２の環境とが異なっても、画像の色を容易に確認することができる。
【０００７】
また、本発明の第２の特徴とするところは、第１の環境及び第２の環境それぞれにおける画像の色情報を取得する色情報取得手段と、この色情報取得手段が取得した画像の色情報の相違を取得する相違取得手段と、この相違取得手段が取得した画像の色情報の相違に基づいて、第１の環境における画像の色を第２の環境において出力するように色を調整する色調整手段とを有する電子色見本出力装置にある。したがって、第１の環境と第２の環境とが異なっても、画像の色を容易に確認することができる。
【０００８】
好適には、ネットワークを介して情報を送受する通信手段をさらに有し、前記相違取得手段は、前記通信手段を介して画像の色情報の相違を取得する。即ち、電子色見本出力装置は、画像の色情報の相違を外部から取得することができるので、画像の色情報の相違を算出する必要がない。
【０００９】
また、好適には前記色情報取得手段が取得した画像の色情報の相違算出する相違算出手段をさらに有し、前記相違取得手段は、前記相違算出手段から画像の色情報の相違を取得する。即ち、電子色見本出力装置は、画像の色情報の相違を算出することができるので、外部から取得する必要がない。
【００１０】
また、好適には、前記色情報取得手段が取得した画像の色情報の相違は、色変換プロファイルによって示されている。即ち、カラーマッチングを容易に調整することができる。
【００１１】
また、好適には、所定の色に複数色が隣接して出力されるように配色する配色手段をさらに有する。また、好適には、前記配色手段は、所定の色が複数色の略中央に出力されるように配色することを特徴とする。したがって、所定の色と複数の色との配色を容易に確認することができる。
【００１２】
また、好適には、第１の環境及び第２の環境は、屋内又は屋外いずれかである。即ち、第１の環境及び第２の環境の光源を制限されることがなく、例えば光源が太陽であっても画像の色を容易に確認することができる。
【発明の効果】
【００１３】
本発明によれば、環境が異なっても画像の色を容易に確認することができる。
【発明を実施するための最良の形態】
【００１４】
次に本発明の実施形態を図面に基づいて説明する。
図１において、本発明の実施形態に係る端末装置３，５を含む色確認システム１の第一例が示されている。図１に示すように、色確認システム１は、ネットワーク２に接続されたＰＣ１０，１２及びサーバ１４と、無線通信ネットワーク２０，２２にそれぞれ無線通信によって接続された端末装置３，５とを有する。また、無線通信ネットワーク２０，２２は、ネットワーク２と接続されており、１つのネットワークを構成している。つまり、ＰＣ１０，１２、サーバ１４及び端末装置３，５は、１つのネットワークに接続されており、互いにデータを送受することができるようにされている。
【００１５】
ＰＣ１０は、例えばＷｅｂデザインを発注するクライアント側に配置されており、ＰＣ本体１００、キーボード及びマウスなどの入力装置１０２及びカラー画像を表示可能なＬＣＤ表示装置又はＣＲＴ表示装置などの表示装置１０４とを有する。ＰＣ１２は、例えばＷｅｂデザインを受注するデザイナー側に配置されており、ＰＣ本体１２０、キーボード及びマウスなどの入力装置１２２及びカラー画像を表示可能なＬＣＤ表示装置又はＣＲＴ表示装置などの表示装置１２４とを有する。つまり、クライアント及びデザイナーは、それぞれＰＣ１０，１２によってＷｅｂデザイン（プロダクト）などの画像データを送受することができる。
【００１６】
サーバ１４は、ＰＣ１０，１２の表示装置１０４及び表示装置１２４、並びに、端末装置３，５それぞれの画像入力部３８及び表示部４２の特性及びプロファイルなどと、これらの特性及びプロファイルを用いて互いに色変換する色変換プロファイルを作成する色変換プロファイル作成プログラムなどとを記憶している。なお、表示装置１０４、表示装置１２４及び表示部４２は、それぞれ固有のプロファイルが提供されているものとする。
【００１７】
図２及び図３において、本発明の実施形態に係る端末装置３の概要が示されている。端末装置３は、例えばデジタル方式の携帯電話であり、通信部３０、スピーカ３２、マイク３４、記憶部３６、画像入力部３８、入力部４０、表示部４２及び端末装置本体４４を有し、表示装置としての機能を含むものである。端末装置本体３は、ＣＰＵ４４０及びメモリ４４２を有し、端末装置３を構成する各部を制御する。
【００１８】
通信部３０は、無線通信ネットワーク２０，２２及びネットワーク２を介し、ＰＣ１０，１２、サーバ１４及び端末装置５と端末装置本体４４とを接続し、スピーカ３２及びマイク３４を介してユーザの通話を可能にすると共に、データの送受を行なう。記憶部３６は、メモリカードなどの記録媒体３６０、通信部３０及びＣＣＤ（カメラ）などの画像入力部３８から入力されるデータ、及びユーザによる設定などを記憶する。入力部４０は、テンキー及びカーソルキーなどを有し、ユーザによる指示（コマンド）などの入力を受入れる。表示部４２は、例えばＲ（赤），Ｇ（緑），Ｂ（青紫）それぞれ８ビット（２５６階調）又は１０ビット（１０２４階調）のカラーＬＣＤパネルを有し、表示装置１０４及び表示装置１２４と略同じ色の画像（色の見えが略同じ画像）を表示可能にされている。
なお、端末装置５は、端末装置３と同じ構成にされており、例えば表示部４２の表示特性などが異なる。
【００１９】
次に、色確認システム１において、デザイナーがＰＣ１０によって作成したＷｅｂデザインをクライアントがＰＣ１２によって表示した場合に、クライアントがＷｅｂデザインの色を確認する方法を説明する。
図４は、デザイナーが作成したＷｅｂデザインの色をクライアントが確認するために、色確認システム１が行なう処理（Ｓ１０）を示すフローチャートである。
図５は、図４に示した色確認システム１が行なう処理（Ｓ１０）において、デザイナー側及びクライアント側それぞれで行なわれる処理を示す模式図である。なお、ＰＣ１０が配置されているクライアント側には、ＰＣ１０に対する光源として照明１０６が設けられており、ＰＣ１２が配置されているデザイナー側には、ＰＣ１２に対する光源として照明１２６が設けられており、照明１０６と照明１２６とは、分光分布が異なるものになっている。
【００２０】
図４に示すように、ステップ１００（Ｓ１００）において、デザイナーが入力部４０を操作することにより、端末装置３は、表示装置１２４に表示されたＷｅｂデザイン（プロダクト）又はＷｅｂデザインに用いられた色を画像情報として画像入力部３８によって取得する。つまり、端末装置３は、画像入力部３８によって照明１２６が設けられたデザイナー側の環境条件(観察光条件）とともに、表示装置１２４に表示された画像情報を取得し、記憶部３６に記憶する（キャプチャ）。
【００２１】
ステップ１０２（Ｓ１０２）において、デザイナーが入力部４０を操作することにより、端末装置３は、記憶部３６に記憶されたデザイナー側の情報（環境条件及び画像情報）をサーバ１４に転送する。
【００２２】
ステップ１０４（Ｓ１０４）において、クライアントが入力部４０を操作することにより、端末装置５は、表示装置１０４に表示されたＷｅｂデザイン又はＷｅｂデザインに用いられた色を画像情報として画像入力部３８によって取得する。つまり、端末装置５は、照明１０６が設けられたクライアント側の環境条件（観察光条件）とともに、表示装置１０４に表示された画像情報を取得し、記憶部３６に記憶する（キャプチャ）。
【００２３】
ステップ１０６（Ｓ１０６）において、クライアントが入力部４０を操作することにより、端末装置５は、記憶部３６に記憶されたクライアント側の情報（環境条件及び画像情報）をサーバ１４に転送する。
【００２４】
ステップ１０８（Ｓ１０８）において、サーバ１４は、端末装置３，５それぞれから受入れたデザイナー側及びクライアント側の情報（環境条件及び画像情報）から、デザイナー側の環境内に位置する表示装置１２４に表示されたＷｅｂデザイン又はＷｅｂデザインに用いられた色をクライアント側の環境内に位置する端末装置５によって表示するように、色変換プロファイルを作成する。
【００２５】
ステップ１１０（Ｓ１１０）において、サーバ１４は、作成した色変換プロファイルを用いて、表示装置１２４に表示されたＷｅｂデザイン又はＷｅｂデザインに用いられた色を端末装置５によって表示するように、Ｗｅｂデザイン又はＷｅｂデザインに用いられた色を表示するための補正された画像データを生成する。つまり、端末装置５による表示色が補正されるように、画像データの値を変更した画像データが生成される。
【００２６】
ステップ１１２（Ｓ１１２）において、サーバ１４は、生成した画像データを端末装置５に対して送信する。
【００２７】
ステップ１１４（Ｓ１１４）において、端末装置５は、サーバ１４から受入れた画像データにより、デザイナー側の環境内に位置する表示装置１２４（確認対象画面）に表示されたＷｅｂデザイン又はＷｅｂデザインに用いられた色をクライアント側の環境内で表示する。つまり、端末装置５は、クライアント側の環境内でＷｅｂデザインの電子色見本を表示する。
【００２８】
なお、色変換プロファイルを端末装置３，５いずれかが作成することにより、サーバ１４を介することなく、端末装置５がクライアント側の環境内でＷｅｂデザインの電子色見本を表示するようにしてもよい。
【００２９】
次に、電子色見本の表示例について説明する。
図６において、端末装置５による電子色見本の表示例が示されている。図６（Ａ）に示すように、端末装置５は、例えばＷｅｂデザインに使用された色の中から、クライアントが確認したい色（水色及び青）を選択して表示する。また、図６（Ｂ）に示すように、端末装置５は、Ｗｅｂデザインに使用された色を例えば４色の色パッチとして表示することができるようにされている。さらに、Ｗｅｂデザインに対して、例えばコーポレートカラー又はアイデンティティーカラーのようなメインカラーが指定されている場合などに、端末装置５は、図６（Ｃ）に示すように、４色の色パッチの中央にメインカラーを表示し、メインカラーに４色の色パッチを隣接させることができるようにされている。したがって、クライアントは、メインカラーと他の色との配色バランスを確認することができる。
【００３０】
図７において、端末装置５の変形例の概要が示されている。
色確認システム１において、図７に示した電子ペーパー５０が端末装置５に換えて用いられてもよい。電子ペーパー５０は、例えば表示部５２及び画像入力部５４を有し、図示しない通信部又は記録媒体などを介して色変換プロファイル又は画像データを含むデータを入出力することができるようにされている。
図７（Ａ）に示すように、電子ペーパー５０は、例えばＷｅｂデザインに使用された色の中から、クライアントが確認したい色（水色及び青）を選択して表示する。また、図７（Ｂ）に示すように、電子ペーパー５０は、Ｗｅｂデザインに使用された色を例えば４色の色パッチとして表示することができるようにされている。さらに、Ｗｅｂデザインに対して、例えばコーポレートカラー又はアイデンティティーカラーのようなメインカラーが指定されている場合などに、電子ペーパー５０は、図７（Ｃ）に示すように、４色の色パッチの中央にメインカラーを表示し、メインカラーに４色の色パッチを隣接させることができるようにされている。したがって、クライアントは、メインカラーと他の色との配色バランスを確認することができる。また、図７（Ｄ）に示すように、クライアントが確認したい色（水色及び青）が表示されている領域の一部を表示部５２上の他の位置に移動させて表示できるようにしてもよい。
【００３１】
次に、本発明の実施形態に係る端末装置３，５を含む色確認システム１の第二例について説明する。
図８は、本発明の実施形態に係る端末装置３，５を含む色確認システム１の第二例を示す概略図である。色確認システム１の第二例は、色確認システム１の第一例においてＷｅｂデザインを表示するクライアント側のＰＣ１０が端末装置５’に換えられている。また、端末装置５’は、屋外に配置されており、クライアント側の光源が太陽１０８になっている。端末装置５’は、例えば端末装置５と同じ構成であり、太陽光の下でＷｅｂデザインを表示する。
【００３２】
色確認システム１の第二例は、ＰＣ１０を端末装置５’に換えて上述したＳ１０を行なうことにより、端末装置５は、色変換プロファイルによって補正された画像データにより、デザイナー側の環境内に位置する表示装置１２４（確認対象画面）に表示されたＷｅｂデザイン又はＷｅｂデザインに用いられた色をクライアント側の環境内で表示する。つまり、端末装置５は、クライアント側の環境内でＷｅｂデザインの電子色見本を表示する。
【００３３】
図９は、Ｗｅｂデザインを表示する端末が端末装置３，５である場合に、端末装置３，５に表示される画像情報を他の端末装置３，５が画像入力部３８によって取得する処理を示す模式図である。
図９に示すように、Ｗｅｂデザインを表示する端末が端末装置３，５である場合、端末装置３，５に表示されたＷｅｂデザイン又はＷｅｂデザインに用いられた色を、それぞれ他の端末装置３，５が画像入力部３８によって取得する。つまり、他の端末装置３，５は、それぞれの環境条件とともに、端末装置３，５の表示部４２に表示された画像情報を取得し、サーバ１４に対して送信する。サーバ１４は、他の端末装置３，５それぞれから受入れたデザイナー側及びクライアント側の情報（環境条件及び画像情報）から、デザイナー側の環境内に位置する端末装置３の表示部４２に表示されたＷｅｂデザイン又はＷｅｂデザインに用いられた色をクライアント側の環境内に位置する端末装置５によって表示するように、色変換プロファイルを作成する。端末装置５は、色変換プロファイルによって補正された画像データにより、デザイナー側の環境内に位置する端末装置３の表示部４２（確認対象画面）に表示されたＷｅｂデザイン又はＷｅｂデザインに用いられた色をクライアント側の環境内で表示することができる。端末装置３，５は、例えば画像入力部３８が端末装置３，５の表示部４２に表示された画像情報を取得することができるように設けられている場合、他の端末装置３，５を用いなくてもよい。
【００３４】
図１０は、共通の色見本を用いて、端末装置３，５がデザイナー側及びクライアント側の情報（環境条件及び画像情報）を取得する処理を示す模式図である。図１０に示すように、端末装置３，５が共通の印刷された色見本６を画像入力部３８によって撮像することにより、デザイナー側及びクライアント側の情報（環境条件及び画像情報）を取得し、デザイナー側及びクライアント側それぞれで出力される色の見えをあわせるように色変換プロファイルが作成されてもよい。
【図面の簡単な説明】
【００３５】
【図１】本発明の実施形態に係る端末装置を含む色確認システムの第一例を示す構成図である。
【図２】端末装置の外形を示す正面図である。
【図３】端末装置の構成を示す構成図である。
【図４】デザイナーが作成したＷｅｂデザインの色をクライアントが確認するために、色確認システムが行なう処理（Ｓ１０）を示すフローチャートである。
【図５】図４に示した色確認システムが行なう処理（Ｓ１０）において、デザイナー側及びクライアント側それぞれで行なわれる処理を示す模式図である。
【図６】端末装置による電子色見本の表示例である。
【図７】電子ペーパーの表示例を含む外形を示す外形図である。
【図８】本発明の実施形態に係る端末装置を含む色確認システムの第二例を示す概略図である。
【図９】Ｗｅｂデザインを表示する端末が端末装置である場合に、端末装置に表示される画像情報を他の端末装置が画像入力部によって取得する処理を示す模式図である。
【図１０】共通の色見本を用いて、端末装置がデザイナー側及びクライアント側の情報（環境条件及び画像情報）を取得する処理を示す模式図である。
【符号の説明】
【００３６】
１・・・色確認システム
１０，１２・・・ＰＣ
１００，１２０・・・ＰＣ本体
１０２，１２２・・・入力装置
１０４，１２４・・・表示装置
１０６，１２６・・・照明
１０８・・・太陽
１４・・・サーバ
２・・・ネットワーク
２０，２２・・・無線通信ネットワーク
３，５，５’・・・端末装置
３０・・・通信部
３６・・・記憶部
３８・・・画像入力部
４２・・・表示部
４４・・・端末装置本体
４４０・・・ＣＰＵ
４４２・・・メモリ
５０・・・電子ペーパー
６・・・色見本（印刷された色見本）
【図１】
2006091281.tif 000003
【図２】
2006091281.tif 000004
【図３】
2006091281.tif 000005
【図４】
2006091281.tif 000006
【図５】
2006091281.tif 000007
【図６】
2006091281.tif 000008
【図７】
2006091281.tif 000009
【図８】
2006091281.tif 000010
【図９】
2006091281.tif 000011
【図１０】
2006091281.tif 000012